(57)【要約】【課題】  本発明の目的とするところは、メガネの駆動のための伝送パケットが受信されなければ、ディスプレイ装置と自動的にペアリングを行うためのメガネ及びメガネのペアリング方法を提供することにある。【解決手段】  メガネのペアリング実行方法が開示される。本メガネのペアリング実行方法は、予め設定されたイベントが発生すると、ディスプレイ装置から前記メガネの駆動のための伝送パケットが受信されるか否かを判断するステップと、前記伝送パケットが受信されなければ、前記ディスプレイ装置と自動的にペアリングを行うステップとを含む。【選択図】      図２
2013110744.tif 000002
【特許請求の範囲】
【請求項１】
メガネのペアリング実行方法において、
予め設定されたイベントが発生すると、ディスプレイ装置から前記メガネの駆動のための伝送パケットが受信されるか否かを判断するステップと、
前記伝送パケットが受信されなければ、前記ディスプレイ装置と自動的にペアリングを行うステップと
を含むペアリング実行方法。
【請求項２】
前記伝送パケットは、
前記メガネのシャッタオンまたはオフ時点に関するタイミング情報を含むことを特徴とする請求項１に記載のペアリング実行方法。
【請求項３】
前記タイミング情報は、
前記ディスプレイ装置とメガネとの間に定められる基準時点から前記メガネのシャッタオンまたはオフ時点までのディレイ情報であることを特徴とする請求項２に記載のペアリング実行方法。
【請求項４】
前記予め設定されたイベントは、
前記メガネの電源をオンさせるイベントであることを特徴とする請求項１に記載のペアリング実行方法。
【請求項５】
前記伝送パケットが受信されるか否かを判断するステップは、
予め設定された時間の間に前記伝送パケットが受信されるか否かを判断することを特徴とする請求項１に記載のペアリング実行方法。
【請求項６】
前記ペアリングが完了すると、前記ディスプレイ装置から前記伝送パケットを受信して前記メガネのシャッタを駆動するステップを更に含むことを特徴とする請求項１に記載のペアリング実行方法。
【請求項７】
前記伝送パケットが受信されなければ、前記ディスプレイ装置に前記伝送パケットを要求するステップと、
前記伝送パケットの要求に応じて、前記ディスプレイ装置からメガネの駆動のための伝送パケットを受信して前記メガネのシャッタを駆動するステップと
を更に含むことを特徴とする請求項１に記載のペアリング実行方法。
【請求項８】
前記伝送パケットを伝送したディスプレイ装置から獲得した受信信号強度（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）が予め設定された閾値より小さい場合、他ディスプレイ装置と自動的にペアリングを行うステップを更に含むことを特徴とする請求項１に記載のペアリング実行方法。
【請求項９】
前記ペアリングを行うステップは、
複数のディスプレイ装置から受信信号強度を獲得し、前記獲得された受信信号強度のうち、最も強い受信信号強度を有するディスプレイ装置とペアリングを自動的に行うことを特徴とする請求項１に記載のペアリング実行方法。
【請求項１０】
予め設定されたイベントが発生すると、ディスプレイ装置から前記メガネの駆動のための伝送パケットを受信する通信部と、
前記伝送パケットが受信されなければ、前記ディスプレイ装置と自動的にペアリングを行うように前記通信部を制御する制御部と
を含むメガネ。
【請求項１１】
前記伝送パケットは、
前記メガネのシャッタオンまたはオフ時点に関するタイミング情報を含むことを特徴とする請求項１０に記載のメガネ。
【請求項１２】
前記タイミング情報は、
前記ディスプレイ装置とメガネとの間に定められる基準時点から前記メガネのシャッタオンまたはオフ時点までのディレイ情報であることを特徴とする請求項１１に記載のメガネ。
【請求項１３】
前記予め設定されたイベントは、
前記メガネの電源をオンさせるイベントであることを特徴とする請求項１０に記載のメガネ。
【請求項１４】
前記制御部は、
予め設定された時間の間に前記伝送パケットが受信されるか否かを判断し、前記伝送パケットが受信されなければ、前記ディスプレイ装置と自動的にペアリングを行うように前記通信部を制御することを特徴とする請求項１０に記載のメガネ。
【請求項１５】
前記制御部は、
前記ペアリングが完了すると、前記ディスプレイ装置から前記伝送パケットを受信して前記メガネのシャッタを駆動することを特徴とする請求項１０に記載のメガネ。
【発明の詳細な説明】
【技術分野】
【０００１】
本発明は、メガネ及びメガネのペアリング方法に関し、より詳細には、ディスプレイ装置と連動して映像を提供することができるメガネ及びメガネのペアリング方法に関する。
【背景技術】
【０００２】
近来は、より臨場感のある視聴のために、３Ｄディスプレイ装置に対する開発への取り組みが加速化しつつある。それに伴い、従来は映画館で主に視聴してきた３Ｄ映像信号を、家庭においてもテレビのような一般のディスプレイ装置を利用して視聴することができるようになった。
【０００３】
一方、最近の家庭用のテレビで多く使われているシャッタグラス方式は、３Ｄメガネでグラスのシャッタをスイッチングして、左眼映像出力の際には左眼グラスがオープンされ、右眼映像出力の際には右眼グラスがオープンされ、ユーザに立体感を提供することができる方式を意味する。
【０００４】
したがって、シャッタグラス方式の場合、一定の通信方式により、３Ｄディスプレイ装置は３Ｄメガネに３Ｄメガネの駆動のための制御信号を伝送しなければならない。
【０００５】
一方、近来では、３Ｄディスプレイ装置と３Ｄメガネとの間の通信方式として、ブルートゥース方式を主に利用している。ブルートゥース方式で３Ｄメガネを通じて３Ｄ映像を視聴するためには、３Ｄディスプレイ装置とペアリング過程が行われなければならない。
【０００６】
しかし、従来には、ペアリング過程の実行のために、ユーザの一定の操作（例えば、一定時間以上電源ボタンを長押する等の操作）が求められるということで、それに伴う不都合が生じていた。
【発明の概要】
【発明が解決しようとする課題】
【０００７】
そこで、本発明は、上記問題に鑑みてなされたものであり、本発明の目的とするところは、メガネの駆動のための伝送パケットが受信されなければ、ディスプレイ装置と自動的にペアリングを行うためのメガネ及びメガネのペアリング方法を提供することにある。
【課題を解決するための手段】
【０００８】
上記のような目的を達成するための本実施形態に係るメガネのペアリング実行方法は、予め設定されたイベントが発生すると、ディスプレイ装置から前記メガネの駆動のための伝送パケットが受信されるか否かを判断するステップと、前記伝送パケットが受信されなければ、前記ディスプレイ装置と自動的にペアリングを行うステップとを含む。
【０００９】
この場合、前記伝送パケットは、前記メガネのシャッタオンまたはオフ時点に関するタイミング情報を含んでよい。
【００１０】
この場合、前記タイミング情報は、前記ディスプレイ装置とメガネとの間に定められる基準時点から前記メガネのシャッタオンまたはオフ時点までのディレイ情報であることが望ましい。
【００１１】
一方、前記予め設定されたイベントは、前記メガネの電源をオンさせるイベントであることが望ましい。
【００１２】
一方、前記伝送パケットが受信されるか否かを判断するステップは、予め設定された時間の間に前記伝送パケットが受信されるか否かを判断してよい。
【００１３】
一方、本実施形態に係るメガネのペアリング方法は、前記ペアリングが完了すると、前記ディスプレイ装置から前記伝送パケットを受信して前記メガネのシャッタを駆動するステップを更に含んでよい。
【００１４】
一方、本実施形態に係るメガネのペアリング方法は、前記伝送パケットが受信されなければ、前記ディスプレイ装置に前記伝送パケットを要求するステップと、前記伝送パケットの要求に応じて、前記ディスプレイ装置からメガネの駆動のための伝送パケットを受信して前記メガネのシャッタを駆動するステップとを更に含んでよい。
【００１５】
一方、本実施形態に係るメガネのペアリング方法は、前記伝送パケットを伝送したディスプレイ装置から獲得した受信信号強度（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）が予め設定された閾値より小さい場合、他ディスプレイ装置と自動的にペアリングを行うステップを更に含んでよい。
【００１６】
一方、前記ペアリングを行うステップは、複数のディスプレイ装置から受信信号強度を獲得し、前記獲得された受信信号強度のうち、最も強い受信信号強度を有するディスプレイ装置とペアリングを自動的に行ってよい。
【００１７】
一方、本発明の一実施形態に係るメガネは、予め設定されたイベントが発生すると、ディスプレイ装置から前記メガネの駆動のための伝送パケットを受信する通信部と、前記伝送パケットが受信されなければ、前記ディスプレイ装置と自動的にペアリングを行うように前記通信部を制御する制御部とを含む。
【００１８】
この場合、前記伝送パケットは、前記メガネのシャッタオンまたはオフ時点に関するタイミング情報を含んでよい。
【００１９】
この場合、前記タイミング情報は、前記ディスプレイ装置とメガネとの間に定められる基準時点から前記メガネのシャッタオンまたはオフ時点までのディレイ情報であることが望ましい。
【００２０】
一方、前記予め設定されたイベントは、前記メガネの電源をオンさせるイベントであることが望ましい。
【００２１】
一方、前記制御部は、予め設定された時間の間に前記伝送パケットが受信されるか否かを判断し、前記伝送パケットが受信されなければ、前記ディスプレイ装置と自動的にペアリングを行うように前記通信部を制御してよい。
【００２２】
一方、前記制御部は、前記ペアリングが完了すると、前記ディスプレイ装置から前記伝送パケットを受信して前記メガネのシャッタを駆動してよい。
【００２３】
一方、前記制御部は、前記伝送パケットが受信されなければ、前記ディスプレイ装置に前記伝送パケットを要求するように前記通信部を制御し、前記伝送パケットの要求に応じて、前記ディスプレイ装置からメガネの駆動のための伝送パケットを受信して前記メガネのシャッタを駆動してよい。
【００２４】
一方、前記制御部は、前記伝送パケットを伝送したディスプレイ装置から獲得した受信信号強度（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）が予め設定された閾値より小さい場合、他ディスプレイ装置と自動的にペアリングを行うように前記通信部を制御してよい。
【００２５】
一方、前記制御部は、複数のディスプレイ装置から受信信号強度を獲得し、前記獲得された受信信号強度のうち、最も強い受信信号強度を有するディスプレイ装置とペアリングを自動的に行うように前記通信部を制御してよい。
【発明の効果】
【００２６】
以上説明したように本発明によれば、メガネがディスプレイ装置と接続されるためにペアリングを行うことで、別途のユーザの操作を行うことなくペアリング動作を行うことができるため、ユーザの便宜性を増大できる。
【図面の簡単な説明】
【００２７】
【図１】本発明の一実施形態に係る映像提供システムを説明するための図である。
【図２】本発明の一実施形態に係る３Ｄメガネの構成を説明するためのブロック図である。
【図３】本発明の一実施形態に係る３Ｄメガネの細部構成を説明するためのブロック図である。
【図４】本発明の一実施形態に係る３Ｄメガネのペアリング実行方法を説明するためのフローチャートである。
【図５】本発明の一実施形態に係る３Ｄメガネのペアリング実行方法をより詳細に説明するためのフローチャートである。
【発明を実施するための形態】
【００２８】
以下に添付図面を参照しながら、本発明の好適な実施形態について詳細に説明する。
【００２９】
図１は、本発明の一実施形態に係る映像提供システムを説明するための図である。図１に示すように、本実施形態に係る映像提供システム１０００は、ディスプレイ装置１００及びメガネ２００を含む。本発明の一実施形態によると、ディスプレイ装置１００とメガネ２００とは、それぞれ３Ｄディスプレイ装置と３Ｄメガネで実現されてよいが、それに限るわけではない。ただ、以下では、ディスプレイ装置１００とメガネ２００とが、３Ｄディスプレイ装置と３Ｄメガネとで実現される場合を仮定して説明する。
【００３０】
３Ｄディスプレイ装置１００は、カメラ等の撮影装置から受信された３Ｄ映像またはカメラによって撮影されて放送局において編集／加工された後、放送局から送出された３Ｄ映像を受信し、受信された３Ｄ映像を処理してからそれを画面に表示する。
【００３１】
特に、３Ｄディスプレイ装置１００は、３Ｄ映像のフォーマットを参照して、左眼映像と右眼映像とを加工して、加工された左眼映像と右眼映像とが時分割されて交互にディスプレイされるようにする。
【００３２】
更に、３Ｄディスプレイ装置１００は、左眼映像と右眼映像とが時分割されてディスプレイされるタイミングに対する情報を３Ｄメガネ２００に伝達する。具体的に、３Ｄディスプレイ装置１００は、各映像の垂直同期信号（Ｖｓｙｎｃ）から３Ｄメガネのシャッタオンまたはオフ時点までのディレイ情報を３Ｄメガネ２００に伝達し、３Ｄディスプレイ装置１００から出力される左眼映像及び右眼映像の出力区間に同期されて３Ｄメガネ２００の左眼シャッタグラス及び右眼シャッタグラスがオン及びオフされるようにすることができる。
【００３３】
このような機能を担う３Ｄディスプレイ装置１００は、３Ｄテレビや３Ｄプロジェクション、３Ｄモニタ等で実現されてよい。
【００３４】
３Ｄメガネ２００は、３Ｄディスプレイ装置１００から受信されたタイミング情報に応じて左眼シャッタグラス及び右眼シャッタグラスを交互に開閉し、ユーザが左眼と右眼とを通じて左眼映像及び右眼映像をそれぞれ視聴できるようにする。
【００３５】
一方、３Ｄディスプレイ装置１００と３Ｄメガネとは、ブルートゥース（Ｂｌｕｅｔｏｏｔｈ（登録商標））通信方式により通信を行う。具体的に、３Ｄディスプレイ装置１００と３Ｄメガネ２００のそれぞれは、ブルートゥースモジュールを備え、２．４ＧＨｚ帯域のＩＳＭ（Ｉｎｄｕｓｔｒｉａｌ  Ｓｃｉｅｎｔｉｆｉｃ  Ｍｅｄｉｃａｌ）バンドを使用して通信を行うことができる。
【００３６】
上述の実施形態においては、３Ｄディスプレイ装置１００と３Ｄメガネ２００とは、ブルートゥース方式に応じて通信を行うものとして説明してきたが、それは一例に過ぎない。即ち、ブルートゥース方式の他に、赤外線通信やＺｅｇｂｅｅ等の通信方式を用いることもでき、その他の近距離で通信チャネルを形成して信号を送受信できる多様な無線通信方式によって通信を行うことができる。
【００３７】
一方、ブルートゥース通信方式により通信を行うためには、３Ｄディスプレイ装置１００と３Ｄメガネ２００とは、ペアリングを行うべきであり、本発明の一実施形態に係る３Ｄメガネ２００は、ペアリングが行われていない３Ｄディスプレイ装置１００とペアリングを自動的に行うことができる。以下で、添付の図２を参照して３Ｄメガネ２００をより詳細に説明する。
【００３８】
図２は、本発明の一実施形態に係る３Ｄメガネの構成を説明するためのブロック図である。図２に示すように、本実施形態に係る３Ｄメガネ２００は、通信部２１０及び制御部２２０を含む。
【００３９】
通信部２１０は、予め設定されたイベントが発生すると、３Ｄディスプレイ装置から３Ｄメガネの駆動のための伝送パケットを受信する。ここで、予め設定されたイベントとは、３Ｄメガネ２００の電源をオンさせるイベントであってよい。
【００４０】
具体的に、通信部２１０は、ブルートゥースモジュールを含むことで、３Ｄメガネの電源がオンされると、過去ペアリングが行われていた３Ｄディスプレイ装置を検索し、過去ペアリングが行われていた３Ｄディスプレイ装置と近距離通信を行い、３Ｄメガネの駆動のための伝送パケットを受信することができる。
【００４１】
そのために、３Ｄディスプレイ装置は、３Ｄディスプレイ装置の電源がオンされる時点から所定時間の間、過去ペアリングが行われていた３Ｄメガネに伝送パケットを伝送することができる。ここで、３Ｄディスプレイ装置が伝送パケットを伝送する所定時間は大凡２分であってよい。
【００４２】
しかし、通信部２１０とブルートゥース通信方式に応じて近距離通信を行うことができる範囲内に過去ペアリングが行われていた３Ｄディスプレイ装置が存在しない場合、通信部２１０は、ブルートゥース通信を行うことができる範囲内に存在する３Ｄディスプレイ装置と自動的にペアリングを行うことができる。
【００４３】
制御部２２０は、３Ｄメガネ２００の動作全般を制御する機能を担う。特に、制御部２２０は、３Ｄディスプレイ装置と自動的にペアリングを行うように通信部２１０を制御することができる。
【００４４】
具体的に、制御部２２０は、３Ｄメガネの駆動のための伝送パケットが受信されなければ、３Ｄディスプレイ装置と自動的にペアリングを行うように通信部２１０を制御することができる。この場合、制御部２２０は、予め設定された時間の間に伝送パケットが受信されるか否かを判断し、３Ｄメガネの駆動のための伝送パケットが受信されなければ、３Ｄディスプレイ装置と自動的にペアリングを行うように通信部２１０を制御することができる。
【００４５】
即ち、制御部２２０は、ブルートゥース通信を行うことができる範囲内で過去ペアリングが行われていた３Ｄディスプレイ装置が存在しないため、３Ｄディスプレイ装置から３Ｄメガネの駆動のための伝送パケットを受信することができない場合、ブルートゥース通信を行うことができる範囲内に存在する新たな３Ｄディスプレイ装置と自動的にペアリングを行うように通信部２１０を制御することができる。
【００４６】
ここで、ペアリングは、認証（Ａｕｔｈｅｎｔｉｃａｔｉｏｎ）や、ＰＩＮコード、暗号化（Ｅｎｃｒｙｐｔｉｏｎ）等の過程を通じて行なわれてよい。認証は、別のブルートゥース装置と接続するためのＰＩＮコード（パスキー）をやり取りするかについて設定する過程であり、ＰＩＮコードは、一種のパスワードと同様のものとして、ブルートゥース装置間にＰＩＮコードを同様にするための過程であり、暗号化は、ブルートゥース装置間でやり取りするデータを暗号化するための過程である。
【００４７】
即ち、制御部２２０は、通信部２１０を介してインクワイアリーメッセージ（Ｉｎｑｕｉｒｙ  Ｍｅｓｓａｇｅ）をブロードキャストし、ブルートゥース通信が可能な範囲内にある３Ｄディスプレイ装置を検索する。そして、３Ｄディスプレイ装置からインクワイアリーメッセージに対する応答が受信されると、制御部２２０は３Ｄディスプレイ装置とブルートゥースアドレス（Ｂｌｕｅｔｏｏｔｈ（登録商標）  Ｄｅｖｉｃｅ  Ａｄｄｒｅｓｓ）およびＰＩＮコードを送受信してペアリング動作を行うことができる。
【００４８】
ここで、制御部２２０は、ユーザがＰＩＮコードを直接入力しなくても、自動的に入力して３Ｄディスプレイ装置を登録することにより、ペアリング動作を行うことができるようになる。しかし、それに限るわけではなく、ユーザが３Ｄディスプレイ装置のＰＩＮコードを直接入力する方法を通じてペアリング過程を行うことも可能である。
【００４９】
一方、ペアリング動作を行ううえで、制御部２２０は複数の３Ｄディスプレイ装置から受信信号強度（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）を獲得し、獲得した受信信号強度のうち、最も大きい受信信号強度を有する３Ｄディスプレイ装置と自動的にペアリングを行うように通信部２１０を制御することができる。
【００５０】
具体的に、制御部２２０は、ブルートゥース通信が可能な範囲内にある３Ｄディスプレイ装置を検索する過程において、複数の３Ｄディスプレイ装置が検索されると、複数の３Ｄディスプレイ装置のそれぞれから受信信号強度を受信して獲得することができる。
【００５１】
ここで、受信信号強度が、ブルートゥース通信が可能な機器間で通信を行う場合、各機器の間のルートを通じて検知できる信号の強度である。したがって、制御部２２０は、獲得した受信信号強度を通じて３Ｄメガネ２００と最も近い３Ｄディスプレイ装置を判断することができるようになる。
【００５２】
そして、制御部２２０は、最も大きい受信信号強度を有する３Ｄディスプレイ装置と自動的にペアリングを行うため、３Ｄメガネ２００と最も近い３Ｄディスプレイ装置と連動することができるようになる。
【００５３】
一方、制御部２２０は、ペアリングが完了すると、３Ｄディスプレイ装置から伝送パケットを受信して３Ｄメガネのシャッタを駆動することができる。
【００５４】
ここで、３Ｄメガネの駆動のための伝送パケットは、３Ｄメガネのシャッタオン又はオフ時点に関するタイミング情報を含むことができる。具体的に、タイミング情報は、３Ｄディスプレイ装置と３Ｄメガネとの間に定められる基準時点から３Ｄメガネのシャッタオン又はオフ時点までのディレイ情報であってよい。
【００５５】
したがって、制御部２２０は、伝送パケットに含まれた３Ｄメガネのシャッタオン又はオフ時点に関するタイミング情報を獲得し、タイミング情報に応じて左眼シャッタグラス及び右眼シャッタグラスをオン／オフさせることができる。
【００５６】
例えば、３Ｄディスプレイ装置と３Ｄメガネとの間に定められる基準時点が３Ｄディスプレイ装置から出力される左眼映像及び右眼映像のそれぞれに対する垂直同期信号である場合、制御部２２０は、伝送パケットから獲得したタイミング情報に応じて左眼映像の垂直同期信号から０ｍｓ及び１６．６８２ｍｓが経過した時点に左眼シャッタグラスをオン及びオフさせ、右眼映像の垂直同期信号から１６．６８３ｍｓ及び３３．３６５ｍｓが経過した時点に右眼シャッタグラスをオン及びオフさせることができる。
【００５７】
これにより、３Ｄメガネ２００の左眼シャッタグラス及び右眼シャッタグラスは、３Ｄディスプレイ装置から出力される左眼映像及び右眼映像の出力区間に同期されてオン及びオフされるため、ユーザに立体感のある３Ｄ映像を提供することができるようになる。
【００５８】
一方、制御部２２０は、伝送パケットを伝送した３Ｄディスプレイ装置から獲得した受信信号強度が予め設定された閾値より小さい場合、他３Ｄディスプレイ装置と自動的にペアリングを行うように通信部２１０を制御することができる。
【００５９】
具体的に、制御部２２０は、通信方式に応じて近距離通信を行うことができる範囲内に過去ペアリングが行われていた３Ｄディスプレイ装置が存在すると、３Ｄディスプレイ装置と近距離通信を行って３Ｄメガネの駆動のための伝送パケットを３Ｄディスプレイ装置から受信することができる。この場合、制御部２２０は、伝送パケットを伝送した３Ｄディスプレイ装置から受信信号強度に対する情報も併せて受信することができる。
【００６０】
一方、３Ｄディスプレイ装置から受信された受信信号強度が予め設定された閾値より小さい場合、制御部２２０は当該３Ｄディスプレイ装置に対する接続を解除して他３Ｄディスプレイ装置と自動的にペアリングを行うように通信部２１０を制御することができる。ここで、予め設定された閾値は、ユーザによって設定可能である。
【００６１】
即ち、過去ペアリングが行われて別途のペアリング過程なしに近距離通信が可能であるが、３Ｄ映像を視聴するには多少遠い距離に位置した３Ｄディスプレイ装置への接続を解除し、３Ｄ映像の視聴に適した位置に存在する他３Ｄディスプレイ装置と自動的にペアリングを行うことができるようにする。
【００６２】
一方、制御部２２０は、伝送パケットが受信されなければ、３Ｄディスプレイ装置に伝送パケットを要求するように通信部２１０を制御し、伝送パケットの要求に応じて３Ｄディスプレイ装置から３Ｄメガネの駆動のための伝送パケットを受信して３Ｄメガネのシャッタを駆動することができる。
【００６３】
即ち、通信部２１０からブルートゥース通信方式により近距離通信を行うことができる範囲内に過去ペアリングが行われていた３Ｄディスプレイ装置が検知されたが、検索された３Ｄディスプレイ装置から伝送パケットを受信されなかった場合、制御部２２０は検索された３Ｄディスプレイ装置に伝送パケットを要求するように通信部２１０を制御することができる。
【００６４】
即ち、本発明の一実施形態に係る３Ｄディスプレイ装置は、３Ｄディスプレイ装置の電源がオンされる時点から所定時間の間に過去ペアリングが行われていた３Ｄメガネに伝送パケットを伝送するため、３Ｄディスプレイ装置の電源がオンされる時点から所定時間が経過した場合、制御部２２０は３Ｄディスプレイ装置に伝送パケットの伝送を要求するものである。
【００６５】
図３は、本発明の一実施形態に係る３Ｄメガネの細部構成を説明するためのブロック図である。図３に示すように、本実施形態に係る３Ｄメガネ２００は、通信部２１０と、制御部２２０及びグラス部２３０を含む。一方、図３を説明するうえで、図２と同様の図面符号を有する左眼シャッタグラス２３２のシャッタを駆動するための左眼シャッタ駆動信号と右眼シャッタグラス２３４のシャッタを駆動するための右眼シャッタ駆動信号をそれぞれ生成し、生成された左眼シャッタ駆動信号を左眼シャッタグラス２３２に伝達し、右眼シャッタ駆動信号を右眼シャッタグラス２３４に伝達する。
【００６６】
具体的に、制御部２２０は、３Ｄディスプレイ装置から受信された伝送パケットに含まれた３Ｄメガネのシャッタオン又はオフ時点に関するタイミング情報を獲得し、タイミング情報に応じて左眼シャッタ駆動信号及び右眼シャッタ駆動信号を生成することができる。
【００６７】
グラス部２３０は、左眼シャッタグラス２３２及び右眼シャッタグラス２３４で構成され、制御部２２０から受信されたシャッタ駆動信号に応じてそれぞれのグラスを開閉する。
【００６８】
一方、左眼シャッタグラス２３２及び右眼シャッタグラス２３４のシャッタは、液晶で実現されてよい。即ち、グラス部２３０は、左眼シャッタグラス２３２及び右眼シャッタグラス２３４の液晶を用いてシャッタを開閉することができるようになる。
【００６９】
図４は、本発明の一実施形態に係る３Ｄメガネのペアリング方法を説明するためのフローチャートである。本実施形態に係る３Ｄメガネは、３Ｄディスプレイ装置とブルートゥース通信方式によって通信を行うことができる。
【００７０】
まず、予め設定されたイベントが発生すると、３Ｄディスプレイ装置から３Ｄメガネの駆動のための伝送パケットが受信されるか否かを判断する（Ｓ３１０）。ここで、予め設定されたイベントは、３Ｄメガネの電源をオンさせるイベントであってよい。
【００７１】
その後、伝送パケットが受信されなければ（Ｓ３１０−Ｎ）、３Ｄディスプレイ装置と自動的にペアリングを行う（Ｓ３２０）。即ち、ブルートゥース通信方式によって過去にペアリングが行われていた３Ｄディスプレイ装置が存在しなければ、ブルートゥース通信方式によって近距離通信を行うことができる範囲内に存在する３Ｄディスプレイ装置と自動的にペアリングを行うようになる。
【００７２】
以下では、添付の図５を参照して、本発明の一実施形態に係る３Ｄメガネのペアリング方法をより詳細に説明する。
【００７３】
図５は、本発明の一実施形態に係る３Ｄメガネのペアリング方法をより詳細に説明するためのフローチャートである。
【００７４】
まず、予め設定されたイベントが発生すると、３Ｄディスプレイ装置から３Ｄメガネの駆動のための伝送パケットが受信されるか否かを判断する（Ｓ４１０）。ここで、予め設定されたイベントは、３Ｄメガネの電源をオンさせるイベントであってよい。
【００７５】
具体的に、ブルートゥース通信方式によって過去ペアリングが行われていた３Ｄディスプレイ装置を検索し、過去ペアリングが行われていた３Ｄディスプレイ装置が存在すると、近距離通信を行い、３Ｄメガネの駆動のための伝送パケットを受信することができる（Ｓ４１０−Ｙ）。
【００７６】
一方、伝送パケットが受信されない場合（Ｓ４１０−Ｎ）、３Ｄディスプレイ装置に伝送パケットを要求し（Ｓ４２０）、伝送パケットの要求に応じて３Ｄディスプレイ装置から３Ｄメガネの駆動のための伝送パケットを受信し（Ｓ４３０−Ｙ）、３Ｄメガネのシャッタを駆動することができる。
【００７７】
即ち、ブルートゥース通信方式によって過去ペアリングが行われていた３Ｄディスプレイ装置が検索されたが、当該３Ｄディスプレイ装置から伝送パケットを受信できなかった場合、３Ｄディスプレイ装置に伝送パケットの伝送を要求して３Ｄメガネの駆動のための伝送パケットを受信することができる。
【００７８】
一方、伝送パケットが受信されない場合（Ｓ４１０−Ｎ）、３Ｄディスプレイ装置と自動的にペアリングを行う（Ｓ４４０）。
【００７９】
即ち、ブルートゥース通信方式によって過去ペアリングが行われていた３Ｄディスプレイ装置が存在しない場合、ブルートゥース通信を行うことができる範囲内に存在する新たな３Ｄディスプレイ装置と自動的にペアリングを行う。
【００８０】
その後、ペアリングが完了しているか否かを判断し（Ｓ４５０）、ペアリングが完了すると（Ｓ４５０−Ｙ）、３Ｄディスプレイ装置から伝送パケットを受信して３Ｄメガネのシャッタを駆動することができる（Ｓ４６０）。
【００８１】
一方、ステップＳ４３０及びＳ４６０において、３Ｄディスプレイ装置から受信された伝送パケットは、３Ｄメガネのシャッタオン又はオフ時点に関するタイミング情報を含み、タイミング情報は３Ｄディスプレイ装置と３Ｄメガネとの間に定められる基準時点から３Ｄメガネのシャッタオン又はオフ時点までのディレイ情報であってよい。
【００８２】
一方、ステップＳ４１０及びＳ４３０において、予め設定された時間の間に伝送パケットが受信されるか否かを判断することができる。
【００８３】
一方、ステップＳ４５０でペアリング動作を行ううえで、複数の３Ｄディスプレイ装置から受信信号強度（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）を獲得し、獲得した受信信号強度のうち、最も大きい受信信号強度を有する３Ｄディスプレイ装置と自動的にペアリングを行うことができる。
【００８４】
一方、ステップＳ４１０において、伝送パケットを伝送した３Ｄディスプレイ装置から獲得した受信信号強度が予め設定された閾値より小さい場合、他３Ｄディスプレイ装置と自動的にペアリングを行うことができる。
【００８５】
即ち、過去ペアリングが行われて別途のペアリング過程なしに近距離通信が可能であるが、３Ｄ映像を視聴するには多少遠い距離に位置した３Ｄディスプレイ装置に対して接続を解除し、３Ｄ映像の視聴に適した位置に存在する他３Ｄディスプレイ装置と自動的にペアリングを行うようにすることができる。
【００８６】
上述の方法によると、３Ｄメガネが３Ｄディスプレイ装置と接続されることにより、ペアリングモードに移行するための別途のユーザ操作を行うことなく、ペアリング動作を行うことができ、ユーザの便宜性を増大することができる。
【００８７】
一方、本発明においては、上述のような３Ｄメガネのペアリング方法を実行するためのプログラムを含む保存媒体、即ち、コンピュータ読み取り記録媒体を含んでよい。ここで、コンピュータ読み取り記録媒体は、コンピュータシステムによって読み取られるデータが保存される全種の記録媒体を含む。コンピュータ読み取り記録媒体の例としては、ＲＯＭ、ＲＡＭ、ＣＤ−ＲＯＭ、磁気テープ、フロッピー（登録商標）ディスクおよび光データ保存媒体でもよく、なお、コンピュータ読み取り記録媒体は、ネットワークで接続されたコンピュータシステムに分散され、分散方式でコンピュータが読み取ることのできるコードが保存され、実行されてよい。
【００８８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８９】
２１０  通信部
２２０  制御部
２１０  通信部
２２０  制御部
２３０  グラス部
２３２  左眼シャッタグラス
２３４  右眼シャッタグラス
【図１】
2013110744.tif 000003
【図２】
2013110744.tif 000004
【図３】
2013110744.tif 000005
【図４】
2013110744.tif 000006
【図５】
2013110744.tif 000007